(57)【要約】【課題】凹凸屋根材の凸部と面戸との間に形成される隙間から雨水が浸入するのが抑制される屋根構造を提供する。【解決手段】野地板４上に凹凸屋根材１１を設けたものである。この凹凸屋根材１１は、下方に開口する凸部１２と上方に開口する凹部１３とを軒方向に交互に有し、凸部１２と野地板４との間に通気空間１７を形成する。野地板４の軒側端部には、前記通気空間１７に対応する位置に前記通気空間１７内に挿入される面戸取付部２８を有する固定部材６が固定され、面戸取付部２８の軒側の面に通気空間１７の断面よりも大きい発泡樹脂からなる面戸部材６２が取り付けられる。凹凸屋根材１１は、凹部１３の下端縁から軒側に向けて折曲自在な折曲片１１ａが延設され、面戸部材６２が通気空間１７に挿入された状態で、折曲片１１ａが下方に折曲されて固定部材６を覆うように取り付けられることで、固定部材６に対して凹凸屋根材１１が固定される。【選択図】図１
2014070365.tif 000002
【特許請求の範囲】
【請求項１】
野地板上に凹凸屋根材が設けられ、
前記凹凸屋根材は、下方に開口する凸部と上方に開口する凹部とを軒方向に交互に有し、前記凸部と前記野地板との間に通気空間を形成するものであり、
前記野地板の軒側端部には、前記通気空間に対応する位置に前記通気空間内に挿入される面戸取付部を有する固定部材が固定され、
前記面戸取付部の軒側の面に前記通気空間の断面よりも大きい発泡樹脂からなる面戸部材が取り付けられ、
前記凹凸屋根材は、前記凹部の下端縁から軒側に向けて折曲自在な折曲片が延設され、
前記面戸部材が前記通気空間に挿入された状態で、前記折曲片が下方に折曲されて前記固定部材を覆うように取り付けられることで、前記固定部材に対して前記凹凸屋根材が固定されることを特徴とする屋根構造。
【請求項２】
前記通気空間の軒側の端部の開口に、小口キャップが挿入されることを特徴とする請求項１記載の屋根構造。
【発明の詳細な説明】
【技術分野】
【０００１】
本発明は、屋根構造に関する。
【背景技術】
【０００２】
建造物の野地板上にスレート等の屋根材が設けられた屋根構造が知られている（例えば特許文献１参照）。この屋根構造では、野地板と屋根材との間の通気性が良くないという問題がある。そこで、凸部と凹部とを軒方向に交互に有する凹凸屋根材を用い、この凹凸屋根材を野地板上に設置して、凸部と野地板との間に通気空間を形成することが考えられた。この場合、その固定手段として、凹凸屋根材が有する凹部の底面を野地板に対してネジ、釘等で固定するという手段が考えられる。この手段によれば、野地板に対して凹凸屋根材を強固に固定することができるが、その一方で、水仕舞い等の面で問題が生じる。
【先行技術文献】
【特許文献】
【０００３】
【特許文献１】特開２００２−１６７９２７号公報
【発明の概要】
【発明が解決しようとする課題】
【０００４】
そこで、本発明者らは、図１０に示すように、野地板の軒側端部に、凹凸屋根材１１の凸部１２内に挿入されて通気空間１７の軒側の端部を閉塞し面戸として機能する面戸取付部２８を固定し、面戸取付部２８に対して凹凸屋根材１１を固定してなる屋根構造を考えた（特願２０１２−０９１５９９）。これは、野地板の軒側の端部上に固定部材６が載置されて固定され、この固定部材６に面戸取付部２８が設けられている。このものにあっては、野地板上に凹凸屋根材１１を設置して通気性を高めつつ、この凹凸屋根材１１を野地板上に強固に且つ水仕舞いよく固定することができるものである。
【０００５】
しかしながら、凹凸屋根材１１の凸部１２と面戸取付部２８との間に、水が浸入可能な隙間が形成され、この隙間から雨水が浸入する惧れがあった。
【０００６】
本発明は前記問題点に鑑みて発明したものであって、その目的とするところは、凹凸屋根材の凸部と面戸との間に形成される隙間から雨水が浸入するのが抑制される屋根構造を提供することにある。
【課題を解決するための手段】
【０００７】
前記課題を解決するために本発明を、下記構成を具備した屋根構造とする。
【０００８】
即ち、本発明は、野地板上に凹凸屋根材が設けられ、前記凹凸屋根材は、下方に開口する凸部と上方に開口する凹部とを軒方向に交互に有し、前記凸部と前記野地板との間に通気空間を形成するものであり、前記野地板の軒側端部には、前記通気空間に対応する位置に前記通気空間内に挿入される面戸取付部を有する固定部材が固定され、前記面戸取付部の軒側の面に前記通気空間の断面よりも大きい発泡樹脂からなる面戸部材が取り付けられ、前記凹凸屋根材は、前記凹部の下端縁から軒側に向けて折曲自在な折曲片が延設され、前記面戸部材が前記通気空間に挿入された状態で、前記折曲片が下方に折曲されて前記固定部材を覆うように取り付けられることで、前記固定部材に対して前記凹凸屋根材が固定されることを特徴とする屋根構造である。
【０００９】
また、前記通気空間の軒側の端部の開口に、小口キャップが挿入されることが好ましいものである。
【発明の効果】
【００１０】
本発明は、凹凸屋根材の凸部と面戸との間に形成される隙間から雨水が浸入するのが抑制されるという効果を奏する。
【図面の簡単な説明】
【００１１】
【図１】本発明の一実施形態の屋根構造における軒側部分を示す側断面図である。
【図２】同上の屋根構造の斜視図である。
【図３】同上の凹凸屋根材同士の連結部分を示す斜視断面図である。
【図４】同上の屋根構造の棟側部分の斜視断面図である。
【図５】同上の屋根構造の軒側部分を示し、（ａ）は軒側から棟側に風が吹くときの空気の流れを示す説明図であり、（ｂ）は棟側から軒側に風が吹くときの空気の流れを示す説明図である。
【図６】同上の面戸部材が設けられた固定部材を示し、（ａ）は軒側の斜め上方より見た斜視図であり、（ｂ）は棟側の斜め上方より見た斜視図である。
【図７】同上の固定部材に凹凸屋根材を載置する前の状態の斜視図である。
【図８】同上の固定部材に凹凸屋根材を載置した状態の斜視図である。
【図９】同上の固定部材に凹凸屋根材を載置して固定した状態の斜視図である。
【図１０】従来の屋根構造を説明する分解斜視図である。
【発明を実施するための形態】
【００１２】
本発明を、添付図面に示す実施形態に基づいて説明する。図１〜図５には、本発明の一実施形態の屋根構造を示している。図７〜図９には、本実施形態の屋根構造の凹凸屋根材１１を野地板４に固定するための構造や手順を示している。
【００１３】
まず、本実施形態の屋根構造について説明する。本実施形態の屋根構造は、図２に示す片流れ屋根を有する建物１に適用したものである。
【００１４】
以下の本文中では、傾斜した屋根面に沿って軒と棟を結ぶ方向を軒棟方向Ｄ１とし、軒に沿う方向を軒方向Ｄ２とし、棟に沿う方向を棟方向Ｄ３とする。本実施形態では、軒方向Ｄ２と棟方向Ｄ３は平行である。
【００１５】
図１に示すように、建物１の軒側の外壁の上端部には、屋外側に向かって突出する軒部２が形成されている。軒部２の屋外側の面（鼻板面）は下方ほど屋内側に位置するように傾斜している。また、図４に示すように、建物１の棟側の外壁の上端部には、屋外側に向かって突出する棟部３が形成されている。棟部３の屋外側の面は鉛直である。
【００１６】
建物１の屋根下地は、垂木等の建築躯体上に野地板４を設けることで形成されている。野地板４は棟側から軒側に向かって一様な角度で下り傾斜している。図１に示すように、野地板４の軒側端部は軒部２よりもさらに屋外側に突出している。野地板４の軒側端面は軒部２の屋外側の面と略平行である。図４に示すように、野地板４の棟側端部は、軒棟方向Ｄ１において棟部３の屋外側の面よりも屋内側に控えた位置に配置されている。
【００１７】
図１、図７に示すように野地板４の軒側の端部上には、固定部材６が載置されて固定される。これにあたり、本実施形態では、まず野地板４の軒側の端部上に、軒方向Ｄ２の略全長に亘って軒側後誘導板５が載置され、軒側後誘導板５の上に、板状をした固定部材６が軒方向Ｄ２の略全長に亘って載置されている。軒側後誘導板５及び固定部材６は鋼板製である。軒側後誘導板５や固定部材６は軒方向Ｄ２に複数並べて設けた部材で構成してもよいし、軒方向Ｄ２に亘って一体に形成したものであってもよいし、板状をしたものでなくてもよい。
【００１８】
固定部材６には面戸取付部２８が設けられる。面戸取付部２８は、図７に示すように、固定部材６において、軒方向Ｄ２に間隔を介して複数形成されている。各面戸取付部２８は、対応する凸部１２の軒側の端部の開口（後述する通気空間１７の端部の開口）を略閉塞するように配置されるのが好ましいが、前記開口より小さくても構わない。固定部材６については後述する。
【００１９】
図４に示すように、野地板４の棟側の端部上面には、棟側誘導板７が棟方向Ｄ３の略全長に亘って載置されている。棟側誘導板７は棟方向Ｄ３に複数並べて設けた部材で構成してもよいし、棟方向Ｄ３に亘って一体に形成したものであってもよい。
【００２０】
野地板４の上には、図２に示すように、凹凸屋根材１１が軒方向Ｄ２に複数並べて載置されている。各凹凸屋根材１１は鋼板製である。各凹凸屋根材１１は、下方に開口し且つ上方に突出する凸部１２と、上方に開口し且つ下方に凹む凹部１３とを、軒方向Ｄ２に交互に形成したものである。各凸部１２の側面部は、隣接する凹部１３の側面部を兼ねている。各凸部１２の両側面部は上面部に対して略直角である。
【００２１】
各凹凸屋根材１１の軒側部分は、図１に示すように、固定部材６及び軒側後誘導板５を介して、野地板４上に載置される。また、図４に示すように、各凹凸屋根材１１の棟側部分は、棟側誘導板７を介して野地板４上に載置される。
【００２２】
図３に示すように、凹凸屋根材１１側の端部には凹部１３が形成されており、この凹部１３の外側面部の上部に、被掛止部１４が形成されている。隣り合う凹凸屋根材１１の間には、連結具８が配置されており、連結具８が有する掛止部１０に対して凹凸屋根材１１の被掛止部１４が掛止される。
【００２３】
各連結具８には、軒棟方向Ｄ１に長いカバー部材１５が取り付けられる（図１０参照）。各カバー部材１５は、図３に示すように、下方に開口する略溝形の部材であり、その両側面部の下部には、被係合部１６が形成されている。各カバー部材１５の両側の被係合部１６が、対応する凹凸屋根材１１の被掛止部１４に掛止されることにより、各カバー部材１５は、両側の凹凸屋根材１１を介して連結具８に取り付けられる。カバー部材１５は、両側の凹凸屋根材１１の間の部分と、ここに配置された連結具８を、上側から覆うものである。
【００２４】
図１、図７に示すように、野地板４とこの上に配置された各凹凸屋根材１１の間には、通気空間１７が形成されている。各通気空間１７は、凸部１２と野地板４で囲まれた空間であり、軒方向Ｄ２に沿って凸部１２と同数形成されている。通気空間１７は、軒棟方向Ｄ１と直交する断面において、断面矩形状となるように形成されており、凹凸屋根材１１の軒棟方向Ｄ１の全長に亘って形成されている。
【００２５】
凹凸屋根材１１の軒側端部は、軒棟方向Ｄ１において野地板４の軒側端縁よりも屋外側に位置した出代部１８となっている。凹凸屋根材１１の出代部１８における凸部１２（すなわち、各凸部１２の軒側の端部）は、下方に開口している。これら出代部１８における各凸部１２の下開口は、軒棟方向Ｄ１に長い矩形状に形成されており、この下開口部分が、対応する通気空間１７の導入口１９（図５参照）を構成している。
【００２６】
図１や図４に示すように、軒側後誘導板５、固定部材６、及び棟側誘導板７は、対応する凹凸屋根材１１と野地板４の間に挟み込まれた状態で、野地板４に対して固定されている。
【００２７】
図１に示すように、軒側後誘導板５の軒側端縁には、屋外側斜め下方に屈曲した屈曲部分２１となっている。屈曲部分２１は水切として機能する。
【００２８】
固定部材６の棟側部分は、野地板４の軒側の端部上に（本実施形態では軒側後誘導板５を介して）載置される基部６０となる。固定部材６の基部６０よりも軒側（外方）部分は、軒棟方向Ｄ１において軒側後誘導板５よりも屋外側に向かって突出している。この突出部分がカバー部２２を構成し、各凹凸屋根材１１の出代部１８の下側において、導入口１９を覆うように配置されている。カバー部２２において各導入口１９と重なる部分には、連通口２４（図１、図７〜図９参照）が形成されている。このように、連通口２４を有するカバー部２２を導入口１９に設けることで、通気空間１７に雨水や小鳥、虫等が入り込み難くなる。
【００２９】
カバー部２２の軒側端部は、下方に折り返されて、折り返し部２５が形成されている。
【００３０】
本実施形態においては、図７〜図９に示すように平板状をした固定部材６のカバー部２２の一部が切り起こされて、切り起こされた跡に連通口２４が形成され、切り起こされた面戸取付部２８が基部６０から起立している。
【００３１】
屋外の空気は、連通口２４（導入口１９）を経て、各通気空間１７に導入されるようになっている。この場合、下側から入り込んだ空気は、屈曲部分２１の屋外側の面と、カバー部２２の下面に沿って上昇し、連通口２４（導入口１９）にまで誘導される。連通口２４を通じて通気空間１７にまで導入された空気は、通気空間１７の棟側の端部開口である後述の導出口３２から排出される。これにより、野地板４と凹凸屋根材１１の間において、良好な通気性が確保される。
【００３２】
図２、図５に示すように、軒部２の屋外側には、軒部２に沿って軒樋３１が設けられている。軒樋３１は、各凹凸屋根材１１の上面から屋外側に流出した雨水を受ける位置に設置されている。より具体的に述べると、この軒樋３１は、各通気空間１７の導入口１９、屈曲部分２１の下端部の下方に位置するように設置されている。これにより、各通気空間１７に雨水が浸入した場合に、カバー部２２の連通口２４から排出された雨水を、軒樋３１で受けることができる。また、屈曲部分２１の下端部から落下した雨水を、軒樋３１で受けることができる。
【００３３】
他方、各凹凸屋根材１１の棟側端部は、図４に示すように野地板４の棟側端面よりも軒
側に控えた位置に配置されている。凹凸屋根材１１の凸部１２の棟側端部と野地板４で囲まれた開口により、通気空間１７の導出口３２が構成されている。各通気空間１７の導出口３２は、野地板４上で棟側に向けて開口している。
【００３４】
棟側誘導板７の棟側部分は、凹凸屋根材１１よりも棟側に突出しており、この突出部分が誘導部３３を構成する。誘導部３３の棟側部分は、上側に折り曲げられた折曲部分３４となっており、この折曲部分３４は通気空間１７の導出口３２に対向して位置する。折曲部分３４の突出方向は、野地板４に対して直交する方向よりも棟側に傾けられており、この傾斜によって、各通気空間１７から排出された空気は棟側に流れやすくなっている。
【００３５】
棟部３には、野地板４の棟方向Ｄ３に亘る棟部カバー３６が取り付けられている。棟部カバー３６は、棟方向Ｄ３に複数並べて設けた部材で構成してもよいし、棟方向Ｄ３に亘って一体に形成したものであってもよい。
【００３６】
棟部カバー３６は、棟部３との間に隙間が形成されるように、複数の取付具３７を介して棟部３に取り付けられている。棟部カバー３６は、屋外側の面を構成する縦板部３８と、上面を構成する横板部３９と、側端面を構成する側板部４０（図２参照）を備えている。
【００３７】
横板部３９は、縦板部３８の上端部から軒側に向けて突出し、軒棟方向Ｄ１と略平行である。横板部３９は、野地板４、凹凸屋根材１１及び棟側誘導板７の上方に配置されている。横板部３９と誘導部３３の間には、各導出口３２に連通する空間４１が形成されている。横板部３９と凹凸屋根材１１の間には、空間４１の軒側に連通する空間４２が形成されている。横板部３９の軒側端部には、下側に向けて突出する突片部４３が、棟方向Ｄ３に亘って形成されている。突片部４３の下端部と、この下側に位置する凹凸屋根材１１の間には、開口４４が形成されている。空間４２は、開口４４を介して軒側に向けて開口している。すなわち、各通気空間１７の導出口３２は、凹凸屋根材１１の棟側端部近傍に位置する空間４１及び空間４２を介して、開口４４に連通している。
【００３８】
縦板部３８は、棟部３の屋外側の面と略平行である。縦板部３８と棟部３の間には、空間４１に連通する空間４５が形成されている。空間４５は、縦板部３８の下端部と棟部３の間に形成された通気口４６を介して下側に開口している。
【００３９】
図５（ａ）に示すように、軒側から棟側に矢印のように風が吹く場合、この風は屈曲部分２１で受けられて導入口１９側に導かれ、各通気空間１７内を軒側から棟側へと流れる。他方、風が棟側から軒側に向かって吹く場合、図５（ｂ）に示すように、風は矢印のように上方から軒樋３１内に吹き込まれて該軒樋３１の内面に沿って上昇し、屈曲部分２１に沿って導入口１９側に誘導され、各通気空間１７内を軒側から棟側へと流れる。即ち、通気空間１７において通常は、軒側から棟側に向かうように空気の流れが生じる。各通気空間１７の導出口３２から排出された空気は、空間４１、空間４５及び通気口４６を介して、棟部カバー３６の下側に排出される。
【００４０】
ところで、図４の矢印ａ１に示すように棟側から軒側に向けて風が吹くと、この風は建物１の棟側の外壁面に当たった後、矢印ｂ１に示すように建物１の棟側の外壁面に沿って上昇し、この後、通気口４６から空間４５に導入される。空間４５に導入された空気は、空間４１及び空間４２を順に経て開口４４から排出される。このとき、凹凸屋根材１１の棟側端部近傍に位置する空間４１の上部では、空気の通過によって負圧が生じ、通気空間１７から空気を引き込むように作用する。この負圧により、各通気空間１７において軒側から棟側に向かう空気の流れが生じやすくなる。
【００４１】
本実施形態では、図２に示すように、複数の凹凸屋根材１１で構成される屋根面上に、機能パネルとしての太陽光発電パネル４８が設けられている。太陽光発電パネル４８は、シリコンを主材料とした半導体素子により太陽光エネルギーを電気エネルギーに変換して出力するものである。太陽光発電パネル４８は、上下両面で受光して発電可能な両面受光型のパネルであってもよいし、上面のみで受光して発電可能なパネルであってもよい。
【００４２】
図４に示すように、太陽光発電パネル４８の棟側端部は、棟部カバー３６の横板部３９の軒側端部の近傍に配置されている。太陽光発電パネル４８の棟側端面は、棟部カバー３６の突片部４３に対向し、突片部４３との間に空気導出用の間隙５３が形成される。
【００４３】
凹凸屋根材１１同士を連結する任意の連結具８には、図３に示すように、カバー部材１５よりも上方に突出するボルト４９が設けられている。太陽光発電パネル４８は、これらボルト４９を用いて屋根面上に固定されている。
【００４４】
図４に示すように、太陽光発電パネル４８は複数の凸部１２の上面に載置されており、複数の凸部１２に跨っている。このため、太陽光発電パネル４８とこの下方に位置する凹凸屋根材１１の間には、第二通気空間５２が形成されている。第二通気空間５２は、太陽光発電パネル４８と、凹凸屋根材１１の凹部１３で囲まれた空間であり、太陽光発電パネル４８で閉塞された凹部１３と同数だけ形成される。第二通気空間５２は、軒棟方向Ｄ１と直交する断面において断面矩形状となるように形成されている。第二通気空間５２は、太陽光発電パネル４８の軒棟方向Ｄ１における全長に亘って形成される。
【００４５】
図２に示すように、第二通気空間５２の軒側の端部開口５０は、凹凸屋根材１１の軒棟方向Ｄ１における中央部付近に位置している。図４に示すように、第二通気空間５２の棟側の端部開口５１は、軒棟方向Ｄ１において棟部カバー３６の横板部３９よりもわずかに軒側に位置し、間隙５３及び開口４４に連通する。
【００４６】
第二通気空間５２では、軒側から棟側に向かって空気が流れやすくなっている。これは、軒側に向かって下り傾斜した凹凸屋根材１１に当たった風が、棟側に向かって流れやすいからである。第二通気空間５２の端部開口５１から排出された空気は、開口４４を経て、棟部カバー３６内の空間４２、空間４１、及び空間４５を順に通過し、この後、通気口４６から棟部カバー３６の下側に排出される。第二通気空間５２から排出された空気が空間４１の上部を通過するとき、この空間４１の上部において負圧が生じ、通気空間１７から空気を引き込むように作用する。このときの負圧によっても、各通気空間１７において軒側から棟側に向かう空気の流れが生じやすくなる。
【００４７】
ところで、太陽光発電パネル４８は、周囲の雰囲気温度が高い場合や、直射日光が長時間照射された場合等に、発電素子が高温になって発電効率（変換効率）が低下する恐れがある。しかし、本実施形態では、前記のように太陽光発電パネル４８の下方に通気空間１７と第二通気空間５２を設けたことで、通気空間１７や第二通気空間５２を流れる空気により太陽光発電パネル４８を冷却し、太陽光発電パネル４８の温度上昇を抑えることができる。したがって、太陽光発電パネル４８の発電効率の低下が抑制される。
【００４８】
以下においては、凹凸屋根材１１を野地板４に固定するための構造や手順について、図７〜図９に基づいて詳述する。
【００４９】
上述したように、固定部材６には、凹凸屋根材１１が有する複数の凸部１２と一対一で対応するように、複数の面戸取付部２８を上方に突出させて設けている。
【００５０】
一方、凹凸屋根材１１の軒先端部の凹部１３の下端縁からは、図７に示すように、屋外側に向けて折曲自在な折曲片１１ａが延設されている。
【００５１】
凹凸屋根材１１を面戸取付部２８に固定するに際し、まず図７に示すように、固定部材６の基部６０が野地板４の軒側の端部上に（本実施形態では軒側後誘導板５を介して）載置されて固定される。基部６０には、釘等の固着具の挿通孔６１が形成されていて、この挿通孔６１を介して固着具（不図示）が野地板４に打ち込まれることで、固定部材６が野地板４に固定される。面戸取付部２８の屋内側（棟側）の面には、面戸部材６２が設けられる。
【００５２】
本実施形態における面戸部材６２は、所謂ケミカル面戸、ソフト面戸と称される、ポリスチレン発泡体、ポリウレタン発泡体、ポリエチレン発泡体、等の発泡樹脂で形成される。なお、面戸部材６２は、弾性を有する水密性に優れた他の材質であってもよい。面戸部材６２は、図７に示すように、正面視形状が面戸取付部２８と通気空間１７の断面形状よりも大きく形成される。面戸部材６２が面戸取付部２８の屋内側の面に設けられるにあたっては、両面テープや接着剤による貼着が好ましいが、係合等による保持でもよく、特に限定されない。
【００５３】
そして面戸取付部２８は、図８に示すように、各凸部１２の軒側端部（つまり通気空間１７の軒側端部）に一対一で突き合わされて挿入され、凹凸屋根材１１が固定部材６上に配置される。このとき、面戸取付部２８と凹凸屋根材１１の凸部１２の軒側端部との間に、面戸部材６２が介在される。
【００５４】
面戸取付部２８は、凹凸屋根材１１の凸部１２内の通気空間１７の断面形状と略同じ形状で若干小さく形成され、通気空間の軒側端部の開口内に挿入される。この時、面戸部材６２がない場合には、凹凸屋根材１１の凸部１２の内面と面戸取付部２８との間に、水が浸入可能な隙間が形成される惧れがある。本発明においては、面戸取付部２８と凹凸屋根材１１の軒側端部との間に面戸部材６２が介在するため、横方向の端部において面戸取付部２８と凹凸屋根材１１の軒側端部との間に水が浸入可能な隙間が殆ど形成されない。
【００５５】
そして、面戸部材６２は、図８に示すように、面戸取付部２８とともに凹凸屋根材１１の凸部１２内の通気空間１７内に挿入されるが、面戸部材６２は通気空間１７の断面よりも大きいため、凸部１２内で圧縮され、凸部１２の内面に隙間無く当接する。そして、図９に示すように、凹凸屋根材１１の折曲片１１ａが下方に折曲され、固定部材６の折り返し部２５を覆うように沿わせられる。本実施形態では、最後に、凸部１２の軒側の端部の開口に、小口キャップ６３が挿入されて装着される。小口キャップ６３は、凸部１２の軒側の端部の開口（すなわち通気空間１７の長手方向に垂直な断面）と略同形同大となっており、面戸の化粧面として機能する。小口キャップ６３の固定は、接着や係止、嵌入等、特に限定されない。これにより、凹凸屋根材１１が固定部材６に固定される。
【００５６】
この構造によれば、軒先に強風等の負荷が加えられても、その負荷によって凹凸屋根材１１の軒先部分がめくれ上がって外れることや、バタバタと異音を生じさせることが抑えられる。また、凹凸屋根材１１を野地板４に固定するに際して、凹凸屋根材１１の凹部１３をネジ、釘等で野地板４に固定する必要がなく、水仕舞いが良好となる。加えて、この構造によれば、軒方向Ｄ２に沿って凸部１２と凹部１３を交互に有する凹凸屋根材１１が、固定後に撓みを生じることも抑えられる。さらに、凹凸屋根材１１の軒先端縁の構造が、折曲片１１ａを折り曲げた構造となるので、凹凸屋根材１１の小口部分が軒先に露出することも抑えられる。
【００５７】
さらに、面戸取付部２８と凹凸屋根材１１の凸部１２の軒側端部との間に、面戸部材６２が介在されるため、この間に水が浸入可能な隙間が形成されず、雨水が浸入するのが抑制されるものである。
【００５８】
さらに本実施形態では、隣接する凹凸屋根材１１間の部分を上側から覆うカバー部材１５にも、同様の固定構造を設けている。つまり、カバー部材１５が有する上壁部の軒側先端部から、前述の折曲片１１ａと同様の折曲片１５ａを軒棟方向Ｄ１の屋外側にむけて延設している。
【００５９】
このカバー部材１５も、対応する面戸取付部２８に対して上方から被せられる。このとき、カバー部材１５が有する１１ａが、面戸取付部２８と重なり合い、固着具によりカバー部材１５はこれに対応する面戸取付部２８に固定され、上述したのと同様の効果が得られる。
【００６０】
以上、本発明を添付図面に示す実施形態に基づいて説明したが、本発明は前記実施形態に限定されるものではない。例えば、本実施形態では、機能パネルを太陽光発電パネル４８で構成したが、その他の機能を有するパネルで構成しても構わないし、機能パネルを省略することも可能である。また、本発明は片流れ屋根だけではなく切妻屋根等のその他の形状の屋根にも適用可能である。その他の構成についても、本発明の意図する範囲内であれば、適宜の設計変更を行うことが可能である。
【符号の説明】
【００６１】
１  建物
２  軒部
４  野地板
６  固定板
１１  凹凸屋根材
１１ａ  折曲片
１２  凸部
１７  通気空間
２８  面戸取付部
６２  面戸部材
６３  小口キャップ
【図１】
2014070365.tif 000003
【図２】
2014070365.tif 000004
【図３】
2014070365.tif 000005
【図４】
2014070365.tif 000006
【図５】
2014070365.tif 000007
【図６】
2014070365.tif 000008
【図７】
2014070365.tif 000009
【図８】
2014070365.tif 000010
【図９】
2014070365.tif 000011
【図１０】
2014070365.tif 000012